(57)【特許請求の範囲】
【請求項１】
商品ファイルを参照して入力された商品コードに対応する商品データを取得しつつ取得商品データを利用して商品登録可能に形成された商品販売データ処理装置において、前記商品ファイルが商品ごとの売価コードを設定記憶可能かつ顧客ファイルが顧客ごとのランクコードを設定記憶可能に形成され、売価コードおよびランクコードから決まる売価レートを設定記憶可能な売価テーブルと，前記商品ファイルを参照して入力された商品コードに対応する売価コードを読取可能な売価コード読取手段と，顧客ファイルを参照して入力された顧客コードに対応するランクコードを読取可能なランクコード読取手段と，売価テーブルを参照して読取売価コードおよび読取ランクコードに対応する売価レートを抽出可能な売価レート抽出手段と，前記取得商品データに含まれる単価と抽出売価レートとを掛け算して当該顧客に対する当該商品のサービス単価を算出可能なサービス単価算出手段と，前記取得商品データに含まれる単価に代えてサービス単価算出手段で算出されたサービス単価を用いて前記商品登録を実行可能に形成され、顧客登録に際し入力された顧客コードを第１ワークエリアにセーブ可能かつ前記顧客ファイルを参照しつつ当該入力顧客コードに対応する顧客名称およびランクコードを第２ワークエリアおよび第３ワークエリアに転送可能に形成され、前記商品登録に際し前記商品ファイルを参照しつつ入力された商品コードに対応する商品名称，単価および売価コードを第４ワークエリア，第５ワークエリアおよび第６ワークエリアに転送可能かつ前記売価レート抽出手段が前記売価テーブルを参照しつつ第３ワークエリアの値と第６ワークエリアの値に対応する前記売価レートを抽出可能に形成されている商品販売データ処理装置。
【請求項２】
前記第１ワークエリアにセーブされた顧客コードおよび前記第２ワークエリアに転送記憶された前記顧客名称がレシートに印字されるものとされている請求項１記載の商品販売データ処理装置。
【請求項３】
１取引終了宣言が成された場合に当該１取引に係る売上点数および売上金額を前記顧客ファイルの前記第１ワークエリアにセーブされている顧客コードと同一の顧客コードに対応させて累積記憶可能に形成されている請求項１または請求項２記載の商品販売データ処理装置。
【発明の詳細な説明】
【０００１】
【発明の属する技術分野】
本発明は、商品ファイルを参照して入力された商品コードに対応する商品データを取得しつつ取得商品データを利用して商品登録可能に形成された商品販売データ処理装置に関する。
【０００２】
【従来の技術】
例えば電子キャッシュレジスタ型の商品販売データ処理装置は、商品登録機能，会計処理機能等を有する。
【０００３】
商品登録機能は、オペレータがデータ入力手段（スキャナ，キーボード等）を用いて商品コードを入力すると、制御部が商品ファイルを参照して入力商品コードに対応する商品データ（商品名，単価等）を取得し、また必要によってキー入力された個数を含む売上データを売上ファイルに記憶（商品登録）する。
【０００４】
顧客買上商品の全てについて商品登録が終わると、１取引終了宣言としての締め操作がキーボード上の締めキーを用いて行われる。必要によって、カードリーダーでクレジットカードデータが読取入力され、現金精算の場合には預り金額がキー入力される。
【０００５】
かくして、制御部は、合計金額，釣り銭額等の算出を含む会計処理を行う。これに関する会計処理データを含む取引データは、表示器に表示され、レシート用紙に印字されて後にレシート発行する。ドロワは自動開放される。その後、レシートは釣銭とともに顧客に手渡される。客のチェックアウトとなる。
【０００６】
ところで、多くの店舗では会員（常連客）に通常売価よりも割引いた売価で販売するサービスを導入している。いわゆる差別化による顧客定着化および売上額向上のためである。
【０００７】
この割引は、顧客ランクと割引率とを対応記憶しておき、合計金額に当該客（会員）の顧客ランクに相応する割引率を掛けて割引額を算出し、この算出割引金額を合計金額から差引くことにより実行されている。
【０００８】
しかし、この割引方法であると、原価と売価との比率が異なる商品（利益率の異なる商品）でも顧客ランクが同じならば、当該割引額（割引率）を一定（同一）として取扱うので、商品ごとの単価高低を割引額に正確に反映することができないという指摘がある。
【０００９】
そこで、例えば図６に示す如く、商品ファイル１３ＭＦＰに商品（“商品コード”，“商品名”）ごとの単価を複数の顧客ランク（ランクコード）ごとに対応させて設定記憶しておき、商品登録の際に顧客ファイル（図示省略）を参照して顧客（会員番号…会員コード）に対応するランクコード（例えば、“３”）を読取りかつ商品ファイル１３ＭＦＰを参照して当該商品（例えば、商品名…“ＡＡＡ”）の複数の単価（例えば、“５０”，“４０”，“３０”，“２０”，“１０”円）の中から当該ランクコード（“３”）に対応するサービス単価（“３０”円）を求めるように形成されている。
【００１０】
なお、図６のサービス単価（例えば、“３０”）は割引後単価であって直接検索可能に形成された場合を示したが、ランクコードごとの割引率を単価に掛けて割引金額を求めかつ単価から割引金額を差引いてサービス単価を算出する方法等により、商品ごとかつ顧客ランクごとの割引処理を実行可能に形成してもよい。
【００１１】
【発明が解決しようとする課題】
しかるに、販売対象商品の種類が増大する傾向が強くかつ商品ごとかつ顧客ランクごとの割引処理を行う対象商品が増えるとともに、顧客ランクの一段の細分化が促進されるにしたがって、図６に示した商品ファイル１３ＭＦＰのメモリ容量が大幅に増大するに至り、検索低速化，装置大型化およびメンテナンス困難化が顕在化してきた。
【００１２】
本発明の目的は、商品ごとかつ顧客ランクごとに差別化した割引販売を迅速かつ正確に行える商品販売データ処理装置を提供することにある。
【００１３】
【課題を解決するための手段】
請求項１の発明は、商品ファイルを参照して入力された商品コードに対応する商品データを取得しつつ取得商品データを利用して商品登録可能に形成された商品販売データ処理装置において、前記商品ファイルが商品ごとの売価コードを設定記憶可能かつ顧客ファイルが顧客ごとのランクコードを設定記憶可能に形成され、売価コードおよびランクコードから決まる売価レートを設定記憶可能な売価テーブルと，前記商品ファイルを参照して入力された商品コードに対応する売価コードを読取可能な売価コード読取手段と，顧客ファイルを参照して入力された顧客コードに対応するランクコードを読取可能なランクコード読取手段と，売価テーブルを参照して読取売価コードおよび読取ランクコードに対応する売価レートを抽出可能な売価レート抽出手段と，前記取得商品データに含まれる単価と抽出売価レートとを掛け算して当該顧客に対する当該商品のサービス単価を算出可能なサービス単価算出手段と，前記取得商品データに含まれる単価に代えてサービス単価算出手段で算出されたサービス単価を用いて前記商品登録を実行可能に形成され、顧客登録に際し入力された顧客コードを第１ワークエリアにセーブ可能かつ前記顧客ファイルを参照しつつ当該入力顧客コードに対応する顧客名称およびランクコードを第２ワークエリアおよび第３ワークエリアに転送可能に形成され、前記商品登録に際し前記商品ファイルを参照しつつ入力された商品コードに対応する商品名称，単価および売価コードを第４ワークエリア，第５ワークエリアおよび第６ワークエリアに転送可能かつ前記売価レート抽出手段が前記売価テーブルを参照しつつ第３ワークエリアの値と第６ワークエリアの値に対応する前記売価レートを抽出可能に形成されている商品販売データ処理装置である。
【００２２】
かかる発明では、売価コード読取手段は、商品ファイルを参照して入力された商品コードに対応する売価コードを読取る。ランクコード読取手段は、顧客ファイルを参照して入力された顧客コードに対応するランクコードを読取る。すると、売価レート抽出手段が、売価テーブルを参照して読取売価コードおよび読取ランクコードに対応する売価レートを抽出する。
【００２３】
しかる後に、サービス単価算出手段が、取得商品データに含まれる単価と抽出売価レートとを掛け算して当該顧客に対する当該商品のサービス単価を算出する。かくして、取得商品データに含まれる単価に代えてサービス単価算出手段で算出されたサービス単価を用いて商品登録を実行することができる。
【００２４】
したがって、請求項１および請求項２の発明の場合と同様な作用効果を奏することができることに加え、さらに通常の商品登録の場合と同じ商品コードを入力するだけで全自動でサービス単価を算出かつ商品登録することができるとともに、取扱いが容易である。
【００２５】
さらに、顧客登録に際し入力された顧客コードを第１ワークエリアにセーブ可能かつ前記顧客ファイルを参照しつつ当該入力顧客コードに対応する顧客名称およびランクコードを第２ワークエリアおよび第３ワークエリアに転送可能に形成され、前記商品登録に際し前記商品ファイルを参照しつつ入力された商品コードに対応する商品名称，単価および売価コードを第４ワークエリア，第５ワークエリアおよび第６ワークエリアに転送可能かつ前記売価レート抽出手段が前記売価テーブルを参照しつつ第３ワークエリアの値と第６ワークエリアの値に対応する前記売価レートを抽出可能に形成された商品販売データ処理装置である。
【００２６】
また、顧客登録に際し、入力された顧客コードは第１ワークエリアにセーブされかつ顧客ファイルを参照しつつ当該入力顧客コードに対応する顧客名称およびランクコードは、第２ワークエリアおよび第３ワークエリアにそれぞれ転送される。また、商品登録に際し、商品ファイルを参照しつつ入力された商品コードに対応する商品名称，単価および売価コードは、第４ワークエリア，第５ワークエリアおよび第６ワークエリアにそれぞれ転送される。
【００２７】
すると、売価レート抽出手段が、売価テーブルを参照しつつ第３ワークエリアの値（ランクコード）と第６ワークエリアの値（売価コード）に対応する売価レートを抽出する。以下、この抽出された売価レートを用いてサービス単価が算出される。
【００２８】
したがって、さらに処理の簡素化および高速化を図れる。
【００２９】
さらに、請求項２の発明は、前記第１ワークエリアにセーブされた顧客コードおよび前記第２ワークエリアに転送記憶された前記顧客名称がレシートに印字されるものとされた商品販売データ処理装置である。
【００３０】
かかる発明では、第１ワークエリアにセーブされた顧客コードおよび第２ワークエリアに転送記憶された顧客名称がレシートに印字されるので、請求項１の発明の場合と同様な作用効果を奏することができることに加え、さらに顧客の満足度を助長できる。
【００３１】
さらにまた、請求項３の発明は、１取引終了宣言が成された場合に当該１取引に係る売上点数および売上金額を前記顧客ファイルの前記第１ワークエリアにセーブされている顧客コードと同一の顧客コードに対応させて累積記憶可能に形成された商品販売データ処理装置である。
【００３２】
かかる発明では、１取引終了宣言が成された場合に、当該１取引に係る売上点数および売上金額は、顧客ファイルの第１ワークエリアにセーブされている顧客コードと同一の顧客コードに対応させて累積記憶される。
【００３３】
したがって、請求項１および請求項２の各発明の場合と同様な作用効果を奏することができることに加え、さらに顧客ファイルを用いた顧客管理を正確に行える。
【００３４】
【発明の実施の形態】
以下、本発明の実施形態について図面を参照して説明する。
【００３５】
本商品販売データ処理装置は、図１に示す如く、基本的構造が電子キャッシュレジスタ１０とされかつ図３に示す商品ファイル１３ＭＦが商品ごとの売価コードを設定記憶可能かつ顧客ファイル１３ＣＦが顧客ごとのランクコードを設定記憶可能に形成され、売価テーブル１３ＰＴと，売価コード読取手段（１１，１２）と，ランクコード読取手段（１１，１２）と，売価レート抽出手段（１１，１２）と，サービス単価算出手段（１１，１２）とを設け、商品ファイル１３ＭＦを参照しかつ商品コードに対応するものとして取得された商品データに含まれる単価に代えてサービス単価算出手段（１１，１２）で算出されたサービス単価を用いて商品登録を実行可能に形成されている。
【００３６】
図１において、電子キャッシュレジスタ１０は、ＣＰＵ１１，ＲＯＭ１２，ＲＡＭ１３，キーボード１４（キーボードコントローラ１４Ｃ），カードリーダー１５（カードリーダーコントローラ），表示器１６（表示コントローラ１６Ｃ・表示バッファレジスタ１６Ｒ），プリンター１７（プリンターコントローラ１７Ｃ・プリント編集バッファレジスタ１７Ｒ），スキャナ（図示省略）および図２の自動開放型ドロワ１９等を含み、商品登録機能，会計処理機能等を有する。外観は図２に示すものとされ、１０Ｂはレジ本体である。
【００３７】
ＲＡＭ１３には、図３に示す商品ファイル（ＰＬＵエリア）１３ＭＦ，顧客ファイル（顧客エリア）１３ＣＦおよび売価テーブル（マトリックス）１３ＰＴが一体的に構築された統合ファイル１３Ｆが設けられている。
【００３８】
商品ファイル１３ＭＦには、商品コード欄，商品名称欄，単価欄，売価コード欄，売上点数欄および売上金額欄が設けられ、顧客ファイル１３ＣＦには顧客コード欄，顧客名称欄，単価欄，ランクコード欄，売上点数欄および売上金額欄が設けられている。
【００３９】
また、売価テーブル１３ＰＴには、縦軸方向がランクコード（例えば、ランク１，２，３，…）でかつ横軸方向が売価コード（例えば、売価１，２，３，…）であるマトリックス形態でランクコード（例えば、ランク１）と売価コード（例えば、売価３）とで決まる売価レート［１００（％）］を抽出することができる。また、この売価テーブル１３ＰＴの上部側には、第１ワークエリアＷＫ１〜第６ワークエリアＷＫ６が設けられている。
【００４０】
ここに、キーボード１４上のキー操作により設定モードを選択（図４のＳＴ１０でＹＥＳ，ＳＴ２０でＹＥＳ）しかつＰＬＵ（商品データ）設定を行う（ＳＴ２１のＹＥＳ）。すなわち、図３に示す商品ファイル１３ＭＦに、商品コード（例えば、“１２３４５６”），商品名称（例えば、“ＡＡＡ”），単価（例えば、“５０円”），売上コード（例えば、“売価２”）を設定記憶する（ＳＴ２１１）。
【００４１】
同様に、顧客設定を行う（ＳＴ２２のＹＥＳ）。すなわち、図３に示す顧客ファイル１３ＣＦに、商品コード，顧客名称，ランクコード（例えば、“ランク２”）を設定記憶する（ＳＴ２２１）。
【００４２】
登録モードを選択（図４のＳＴ３０でＹＥＳ）し、商品登録をする以前に、顧客登録（図５のＳＴ３０１でＹＥＳ），ＰＬＵ登録（ＳＴ３０２のＹＥＳ）および締め登録（ＳＴ３０３でＹＥＳ）する。
【００４３】
顧客登録は、顧客ファイル（顧客エリア）１３ＣＦを参照（ＳＴ３０１１）して入力された顧客コード（会員コード）を第１ワークエリアＷＫ１に登録（セーブ）する（ＳＴ３０１２）。当該顧客コードに対応する顧客名称およびランクコード（“ランク２”）が第２ワークエリアＷＫ２および第３ワークエリアＷＫ３に転送される（ＳＴ３０１３）。この際、顧客コードおよび顧客名称は、プリンター１７でレシートヘッドに印字される。
【００４４】
商品（ＰＬＵ）登録は、商品ファイル（ＰＬＵエリア）１３ＭＦを参照（ＳＴ３０２１）しつつスキャナで読取入力された商品コード（例えば、“１２３４５６”）に対応する商品名称（“ＡＡＡ”），単価（“５０円”）および売価コード（“売価２”）をそれぞれ第４ワークエリアＷＫ４，第５ワークエリアＷＫ５および第６ワークエリアＷＫ６に転送（ＳＴ３０２２）する。
【００４５】
つまり、売価コード読取手段（ＣＰＵ１１，ＲＯＭ１２）が、商品ファイル１３ＭＦを参照して入力された商品コード（“１２３４５６”）に対応する売価コード（“売価２”）を読取る。
【００４６】
また、ランクコード読取手段（ＣＰＵ１１，ＲＯＭ１２）が、顧客ファイル１３ＣＦを参照して入力された顧客コードに対応するランクコード（“ランク２”）を読取る。
【００４７】
売価レート抽出手段（ＣＰＵ１１，ＲＯＭ１２）は、売価コード（“売価２”）およびランクコード（“ランク２”）から決まる売価レート（例えば、“９０”）を設定記憶可能な売価テーブル１３ＰＴを参照して、読取売価コード（“売価２”）および読取ランクコード（“ランク２”）に対応する売価レート（“９０”）を抽出（ＳＴ３０２３）することができる。
【００４８】
この実施形態では、図３に示す第３ワークエリアＷＫ３（ランクコード…“ランク２”）と第６ワークエリアＷＫ６（売価コード…“売価２”）とが交叉するマトリックスとして売価レート（“９０”）を抽出することができる。
【００４９】
サービス単価算出手段（ＣＰＵ１１，ＲＯＭ１２）は、入力商品コードに対応するものとして取得された商品データ（商品名称，単価）に含まれる単価（第５ワークエリアＷＫ５…“５０円”）と抽出された売価レート［“９０”（％）］とを掛け算して、当該顧客に対する当該商品（例えば、“ＡＡＡ”）のサービス単価（４５円＝５０×０．９）を算出（ＳＴ３０２４）する。
【００５０】
すると、制御部（ＣＰＵ１１，ＲＯＭ１２）は、取得商品データに含まれる単価（５０円）に代えてサービス単価算出手段（１１，１２）で算出されたサービス単価（４５円）を用いて商品登録（メモリ処理）を実行する（ＳＴ３０２４）。この単価は、表示器１６に表示され、またプリンター１７でレシート用紙に印字される。
【００５１】
締め登録（ＳＴ３０３のＹＥＳ）が要求されると、累積記憶制御手段（ＣＰＵ１１，ＲＯＭ１２）が、第１ワークエリアＷＫ１（顧客コード）に対応する顧客ファイル（顧客エリア）１３ＣＦの売上点数欄および売上金額欄に、当該取引の売上点数および売上金額をそれぞれ加算（累積記憶）する（ＳＴ３０３１）。
【００５２】
また、来店回数計数制御手段（ＣＰＵ１１，ＲＯＭ１２）が、来店回数をカウンタメモリ（図示省略）に加算（Ｎ＝Ｎ＋１）する（ＳＴ３０３２）。
【００５３】
しかして、かかる構成の実施形態では、売価コードおよびランクコードから売価レートを抽出可能な構成のマトリックス（１３ＰＴ）を参照して、入力商品コードに対応する売価コード（例えば、“売価２”）および入力顧客コードに対応するランクコード（例えば、“ランク２”）から当該商品の売価レート（“９０”％）を抽出（図５のＳＴ３０２３）する。
【００５４】
そして、商品コードに対応するものとして取得された商品データに含まれる単価（“５０”円）とマトリックスを参照して抽出された売価レート（“９０”…“０．９”）とを用いてサービス単価（“４５”円）を算出するとともに、取得商品データに含まれる単価（“５０”円）に代えて算出されたサービス単価（“４５”円）を用いて商品登録（ＳＴ３０２４）を実行する。
【００５５】
したがって、検索低速化，装置大型化およびメンテナンス困難化を解消しつつ商品ごとでかつ顧客ランクごとに差別化した割引販売を迅速かつ正確に行えるとともに、店舗事情に対する適応性が広い。
【００５６】
なお、売価レートは、取得単価（“５０”円）に掛け算して割引後単価［サービス単価（“４５”円）］を算出する値（％）のみに限定されず、取得単価（“５０”円）に掛け算して割引金額（“５”円）を算出する値（“１０”％）でも、さらには割引金額自体（“５”円）としてもよい。結果として商品ごとでかつ顧客ランクごとの割引金額（“５”円）および／または割引後売価（“４５”円）を求めることができればよいからである。
【００５７】
また、売価テーブル１３ＰＴに記憶する売価コードおよびランクコードから決まる売価レートを設定変更するだけで、商品ファイル１３ＭＦに設定記憶された商品ごとに売価コードおよび顧客ファイル１３ＣＦに設定記憶された顧客ごとのランクコードをそのままにしておいても商品ごとでかつ顧客ランクごとのサービス単価を変更した運用ができる。
【００５８】
また、売価コード読取手段（１１，１２）は、商品ファイル１３ＭＦを参照して入力商品コードに対応する売価コードを読取る。ランクコード読取手（１１，１２）段は、顧客ファイル１３ＣＦを参照して入力顧客コードに対応するランクコードを読取る。すると、売価レート抽出手段（１１，１２）が、売価テーブル１３ＰＴを参照して読取売価コードおよび読取ランクコードに対応する売価レートを抽出する。しかる後に、サービス単価算出手段（１１，１２）が、取得商品データに含まれる単価と抽出売価レートとを掛け算して当該顧客に対する当該商品のサービス単価を算出する。
【００５９】
かくして、取得商品データに含まれる単価に代えてサービス単価算出手段で算出されたサービス単価を用いて商品登録を実行することができる。しかも、通常の商品登録の場合と同じ商品コードを入力するだけで全自動でサービス単価を算出かつ商品登録することができるので、取扱いが容易である。
【００６０】
さらに、顧客登録に際し、入力顧客コードは第１ワークエリアＷＫ１にセーブされかつ顧客ファイル１３ＣＦを参照しつつ当該入力顧客コードに対応する顧客名称およびランクコードは第２ワークエリアＷＫ２および第３ワークエリアＷＫ３にそれぞれ転送（図５のＳＴ３０１３）される。また、商品登録に際し、商品ファイル１３ＭＦを参照しつつ入力商品コードに対応する商品名称，単価および売価コードは第４ワークエリアＷＫ４，第５ワークエリアＷＫ５および第６ワークエリアＷＫ６にそれぞれ転送（ＳＴ３０２２）される。
【００６１】
すると、売価レート抽出手段（１１，１２）が、売価テーブル１３ＰＴを参照しつつ第３ワークエリアＷＫ３の値（ランクコード）と第６ワークエリアＷＫ６の値（売価コード）に対応する売価レートを抽出（ＳＴ３０２３）する。以下、この抽出された売価レートを用いてサービス単価が算出（ＳＴ３０２４）される。したがって、処理の簡素化および高速化を図れる。
【００６２】
さらに、第１ワークエリアＷＫ１にセーブされた顧客コードおよび第２ワークエリアＷＫ２に転送記憶された顧客名称がプリンター１７でレシートに印字可能に形成されているので、顧客の満足度を助長できる。
【００６３】
さらにまた、１取引終了宣言が成された場合に、当該１取引に係る売上点数および売上金額は顧客ファイル１３ＣＦの第１ワークエリアＷＫ１にセーブされている顧客コードと同一の顧客コードに対応させて累積記憶される。したがって、顧客ファイル１３ＣＦを用いた顧客管理を正確に行える。
【００６４】
以上の実施形態では、統合ファイル１３Ｆ（商品ファイル１３ＭＦ，顧客ファイル１３ＣＦ，売価テーブル１３ＰＴ）等を各電子キャッシュレジスタ１０に設けた場合について説明したが、各電子キャッシュレジスタ１０とデータ通信回線（例えば、ＬＡＮ）で接続されかつ各電子キャッシュレジスタ１０を一括管理可能な上位機（例えば、ストアコントローラやファイルプロセッサ）に構成された商品販売データ処理装置（システム）において、統合ファイル１３Ｆ（商品ファイル１３ＭＦ，顧客ファイル１３ＣＦ，売価テーブル１３ＰＴ）等を上位機側に設けかつ各電子キャッシュレジスタ１０で共用可能に形成してもよい。この場合も、本発明は適用される。
【００６５】
【発明の効果】
請求項１の発明によれば、商品ファイルが商品ごとの売価コードを設定記憶可能かつ顧客ファイルが顧客ごとのランクコードを設定記憶可能に形成され、売価テーブルと，売価コード読取手段と，ランクコード読取手段と，売価レート抽出手段と，サービス単価算出手段とを設け、取得商品データに含まれる単価に代えてサービス単価算出手段で算出されたサービス単価を用いて商品登録を実行可能に形成された商品販売データ処理装置であるから、請求項１および請求項２の発明の場合と同様な効果を奏することができることに加え、さらに通常の商品登録の場合同じ商品コードを入力するだけで全自動でサービス単価を算出かつ商品登録することができるとともに、取扱いが容易である。
【００６８】
さらに、顧客登録に際し入力顧客コードを第１ワークエリアにセーブ可能かつ顧客ファイルを参照しつつ当該入力顧客コードに対応する顧客名称およびランクコードを第２ワークエリアおよび第３ワークエリアに転送可能に形成され、商品登録に際し商品ファイルを参照しつつ入力商品コードに対応する商品名称，単価および売価コードを第４ワークエリア，第５ワークエリアおよび第６ワークエリアに転送可能かつ売価レート抽出手段が売価テーブルを参照しつつ第３ワークエリアの値と第６ワークエリアの値に対応する売価レートを抽出可能に形成されているので、請求項３の発明の場合と同様な効果を奏することができることに加え、さらに処理の簡素化および高速化を図れる。
【００６９】
さらに、請求項２の発明によれば、第１ワークエリアにセーブされた顧客コードおよび第２ワークエリアに転送記憶された顧客名称がレシートに印字されるので、請求項１の発明の場合と同様な効果を奏することができることに加え、さらに顧客の満足度を助長できる。
【００７０】
さらにまた、請求項３の発明によれば、１取引終了宣言が成された場合に当該１取引に係る売上点数および売上金額を顧客ファイルの第１ワークエリアにセーブされている顧客コードと同一の顧客コードに対応させて累積記憶可能に形成されているので、請求項４および請求項５の各発明の場合と同様な効果を奏することができることに加え、さらに顧客ファイルを用いた顧客管理を正確に行える。
【図面の簡単な説明】
【図１】本発明の実施形態を示すブロック図である。
【図２】同じく、外観斜視図である。
【図３】同じく、商品ファイル，顧客ファイル，売価テーブル等を説明するための図である。
【図４】同じく、設定動作を説明するためのフローチャートである。
【図５】同じく、登録動作を説明するためのフローチャートである。
【図６】従来例の商品ファイルを説明するための図である。
【符号の説明】
１０  電子キャッシュレジスタ（商品販売データ処理装置）
１１  ＣＰＵ（売価コード読取手段，ランクコード読取手段，売価レート抽出手段，サービス単価算出手段）
１２  ＲＯＭ（売価コード読取手段，ランクコード読取手段，売価レート抽出手段，サービス単価算出手段）
１３  ＲＡＭ
１３Ｆ  統合ファイル
１３ＭＦ  商品ファイル
１３ＣＦ  顧客ファイル
１３ＰＴ  売価テーブル（マトリックス）
ＷＫ１〜ＷＫ６  第１ワークエリア〜第６ワークエリア
１４  キーボード
１６  表示器
１７  プリンター
【図１】
0003927749.tif 000002
【図２】
0003927749.tif 000003
【図３】
0003927749.tif 000004
【図４】
0003927749.tif 000005
【図５】
0003927749.tif 000006
【図６】
0003927749.tif 000007